(57)【要約】【課題】累積運転時間又は累積運転回数に基づいて燃焼装置の消耗度を推定する消耗度推定手段９３を備える燃焼装置において、消耗度が耐用限界消耗度の所定割合以上になった後は、使用者に点検すべきことを単純な報知以上に強く促すことができるようにする。【解決手段】消耗度推定手段９３で推定した消耗度が耐用限界消耗度の所定割合以上になった後は、バーナの点火指令が出されてから所定の遅延時間後にバーナに点火する点火遅延手段９６を備える。また、消耗度の増加に応じて遅延時間を長くする遅延時間変更手段９７を備える。更に、点検修理後にリセットスイッチが操作された場合は、消耗度が所定量増加するまで点火遅延手段９６の作動を禁止する。【選択図】図２
2008267657.tif 000002
【特許請求の範囲】
【請求項１】
バーナを有する燃焼装置であって、燃焼装置の累積運転時間又は累積運転回数に基づいて燃焼装置の消耗度を推定する消耗度推定手段と、消耗度推定手段で推定した消耗度が燃焼装置の耐用限界消耗度の所定割合以上になった場合に、バーナの点火指令が出されてから所定の遅延時間後にバーナに点火する点火遅延手段と、を備えることを特徴とする燃焼装置。
【請求項２】
前記消耗度推定手段で推定した消耗度の増加に応じて前記遅延時間を長くする遅延時間変更手段を備えることを特徴とする請求項１記載の燃焼装置。
【請求項３】
リセットスイッチを備え、リセットスイッチが操作されてから前記消耗度推定手段で推定した消耗度が所定量増加するまで前記点火遅延手段の作動を禁止することを特徴とする請求項１又は２記載の燃焼装置。
【発明の詳細な説明】
【技術分野】
【０００１】
本発明は、バーナを有する温風暖房器などの燃焼装置に関する。
【背景技術】
【０００２】
従来、この種の燃焼装置として、燃焼装置の累積運転時間又は累積運転回数に基づいて燃焼装置の消耗度を推定する消耗度推定手段を備え、消耗度が燃焼装置の耐用限界消耗度に達したときには燃焼装置を運転不能にして、燃焼装置が耐用限界を超えて使用されることを防止できるようにしたものが知られている。
【０００３】
ところで、燃焼装置の使用環境によっては、消耗度推定手段で推定した消耗度が燃焼装置の耐用限界消耗度に達する前に修理が必要になることがある。そこで、消耗度推定手段で推定した消耗度が燃焼装置の耐用限界消耗度の所定割合以上になったところで、燃焼装置の点検を促す点検報知を行うようにしたものも知られている（例えば、特許文献１参照）。
【特許文献１】特開平４−６２３１８号公報
【発明の開示】
【発明が解決しようとする課題】
【０００４】
然し、上記の如く点検報知を行っても、使用者によっては点検を行わずに燃焼装置を耐用限界まで使用してしまうことがある。
【０００５】
本発明は、以上の点に鑑み、消耗度推定手段で推定した消耗度が燃焼装置の耐用限界消耗度の所定割合以上になった後は、使用者に点検すべきことを単純な報知以上に強く促すことができるようにした燃焼装置を提供することをその課題としている。
【課題を解決するための手段】
【０００６】
上記課題を解決するために、本発明は、バーナを有する燃焼装置であって、燃焼装置の累積運転時間又は累積運転回数に基づいて燃焼装置の消耗度を推定する消耗度推定手段と、消耗度推定手段で推定した消耗度が燃焼装置の耐用限界消耗度の所定割合以上になった場合に、バーナの点火指令が出されてから所定の遅延時間後にバーナに点火する点火遅延手段とを備えることを特徴とする。
【０００７】
ここで、上記所定割合は、燃焼装置が最悪の環境で使用された場合に部品劣化の可能性を生ずる消耗度に合わせて決定される。そして、本発明によれば、消耗度が耐用限界消耗度の所定割合以上になった後は、バーナの点火が遅れて使い勝手が悪くなり、使用者が不便を感ずる。そのため、使用者に点検すべきことを強く促すことができる。その結果、部品が劣化したまま点検修理を行わずに燃焼装置を使用し続けてしまうことを可及的に防止できる。
【０００８】
また、本発明においては、消耗度推定手段で推定した消耗度の増加に応じて遅延時間を長くする遅延時間変更手段を備えることが望ましい。ここで、使用者によってはバーナの点火が多少遅れても気にせず点検を行わないことがある。このような使用者であっても、消耗度の増加に応じて遅延時間を長くすることにより、遂には点検を決意させることができる。
【０００９】
また、本発明においては、リセットスイッチを備え、リセットスイッチが操作されてから消耗度推定手段で推定した消耗度が所定量増加するまで点火遅延手段の作動を禁止することが望ましい。これによれば、点検後にリセットスイッチを操作することで、バーナを遅れなく点火できる状態に復帰し、利用者に不便をかけない。
【発明を実施するための最良の形態】
【００１０】
図１は、本発明の実施形態の燃焼装置である温風暖房器を示している。この温風暖房器の器体１内には、下部の送風ファン２と、その上方に位置する、バーナ３を内蔵する燃焼筐４と、燃焼筐４の配置部を上方から前方に亘って囲う通風路カバー５とが配置されている。この通風路カバー５により燃焼筐４の周囲の通風路６が画成される。そして、送風ファン２の作動により器体１の背面の吸込み口１ａから通風路６に空気を吸込み、燃焼筐４からの燃焼排ガスと空気とを混合して、器体１の前面下部の吹出し口１ｂから温風として吹出すようにしている。
【００１１】
燃焼筐４には、吸込み口１ａからの空気の一部を燃焼用空気として取入れる後面下部の空気取入口４ａと、上端の排気口４ｂとが開設されている。そして、排気口４ｂ上に遮熱板７を設けて、排気口４ｂからの燃焼排ガスが遮熱板７の下側を通って燃焼筐４の前面側の通風路６の部分に吸引排気されるようにしている。また、吸込み口１ａからの塵埃の侵入を防止するため、吸込み口１ａを覆うエアフィルタ８が設けられている。
【００１２】
図２は、温風暖房器に備えるコントローラ９を示している。このコントローラ９は、機能的手段として、運転開始指令が出されたときにプリパージを行ってバーナ３に点火する点火制御手段９１と、図示省略した室温センサの検出温度が暖房設定温度まで上昇して維持されるようにバーナ３の燃焼量を増減する温調制御を行う温調制御手段９２とを備える。尚、運転開始指令は、図示省略した運転スイッチがオンされたときや、タイマによる予約運転を行う場合は運転開始予約時刻になったときに出される。
【００１３】
コントローラ９は、更に、劣化対策として、温風暖房器の累積運転時間に基づいて燃焼装置の消耗度を推定する消耗度推定手段９３と、消耗度推定手段９３で推定した消耗度が温風暖房器の耐用限界消耗度に達したときに、警報を発すると共にバーナ３の燃焼を禁止して温風暖房器を運転不能にする耐用限界制御手段９４と、消耗度推定手段９３で推定した消耗度が耐用限界消耗度の所定割合以上になった場合に、点検ランプの点灯等の点検を促す点検報知を行う点検報知手段９５と、消耗度推定手段９３で推定した消耗度が耐用限界消耗度の所定割合以上になった場合に、バーナ３の点火指令が出されてから所定の遅延時間後にバーナ３に点火する点火遅延手段９６と、消耗度に応じて遅延時間を変更する遅延時間変更手段９７と、消耗度推定手段９３で推定した消耗度が耐用限界消耗度の所定割合以上になった場合に、バーナ３の最大燃焼量を通常値より減少させる最大燃焼量制限手段９８とを備える。
【００１４】
次に、図３を参照して、コントローラ９による全体的な制御内容について説明する。先ず、Ｓ１のステップで運転指令が出されたか否かを判別し、運転指令が出されたときは、Ｓ２のステップで第１フラグＦ１が「１」にセットされているか否かを判別する。第１フラグＦ１は消耗度推定手段９３で推定した消耗度が温風暖房器の耐用限界消耗度に達したとき、例えば累積運転時間が８５００時間（６００時間が約１年相当）に達したとき「０」から「１」にセットされる。Ｆ１＝１であればＳ３のステップに進み、警報を発すると共にバーナ３の燃焼を禁止して温風暖房器を運転不能にする制御を行う。尚、Ｓ２のステップからＳ３のステップに至る処理が耐用限界制御手段９４に相当する。
【００１５】
Ｆ１＝０であれば、Ｓ４のステップで第２フラグＦ２が「１」にセットされているか否かを判別する。第２フラグＦ２は消耗度推定手段９３で推定した消耗度が温風暖房器の耐用限界消耗度の所定割合以上になった場合、例えば累積運転時間が５０００時間以上になった場合に「０」から「１」にセットされる。Ｆ２＝１であれば、Ｓ５のステップで点検報知を行ってＳ６のステップに進み、Ｆ２＝０であればＳ６のステップに直接進む。尚、Ｓ４のステップからＳ５のステップに至る処理が点検報知手段９５に相当する。
【００１６】
Ｓ６のステップでは、送風ファン２を起動して所定時間のプリパージを行う。そして、Ｓ７のステップでプリパージが完了したか否かを判別する。ここで、従前は、プリパージの完了で点火指令が出され、Ｓ１０のステップでバーナ３に点火している。一方、本実施形態では、プリパージが完了すると、Ｓ８のステップで再度第２フラグＦ２が「１」にセットされているか否かを判別する。Ｆ２＝１であればＳ９のステップに進み、プリパージの完了時点、即ち、点火指令が出された時点から所定の遅延時間が経過したか否かを判別する。そして、遅延時間が経過したところでＳ１０のステップに進み、バーナ３に点火する。Ｆ２＝０であればＳ１０のステップに直接進む。尚、Ｓ８のステップからＳ９のステップを経由してＳ１０のステップに至る処理が点火遅延手段９６に相当する。
【００１７】
このように、本実施形態では、消耗度推定手段９３で推定した消耗度が耐用限界消耗度の所定割合以上になって第２フラグＦ２が「１」にセットされると、点検報知が行われるだけでなく点火が遅れるため、温風が吹出すまでに時間がかかって使い勝手が悪くなる。これにより、使用者が不便を感ずるようになり、使用者に点検すべきことを強く促すことができる。その結果、部品が劣化したまま点検修理を行わずに温風暖房器を使用し続けてしまうことを可及的に防止できる。
【００１８】
また、遅延時間は、消耗度推定手段９３で推定した消耗度の増加に伴い長くなるように遅延時間変更手段９７で変更される。例えば、累積運転時間が５０００時間以上７０００時間未満である場合は遅延時間が５秒に設定され、累積運転時間が７０００時間以上８０００時間未満である場合は遅延時間が１０秒に設定され、累積運転時間が８０００時間以上８５００時間未満である場合は遅延時間が２０秒に設定される。従って、バーナ３の点火が多少遅れてもそのまま気にせずに放置するような使用者でも、遅延時間が長くなることで、遂には点検を決意させることができる。
【００１９】
尚、温風暖房器には、業者用の隠れスイッチとしてリセットスイッチ（図示せず）が設けられている。そして、修理業者が温風暖房器を点検修理した後に、リセットスイッチを操作すると、消耗度推定手段９３で推定した消耗度が耐用限界消耗度の所定割合以上になっていても、第２フラグＦ２が「０」にリセットされ、その後消耗度が所定量増加するまで第２フラグＦ２は「１」にセットされないようにしている。従って、点検修理が行われれば、消耗度が所定量増加するまで点検報知が解除されると共に、点火遅延手段９６の作動が禁止されて、バーナ３を遅れなく点火できる状態に復帰し、利用者に不便をかけない。
【００２０】
バーナ３の点火後は、Ｓ１１のステップで運転時間の計測を開始して、消耗度推定手段９３での消耗度のカウントアップを行うと共に、Ｓ１２のステップで温調制御を行う。ここで、温調制御におけるバーナ３の最大燃焼量は、消耗度推定手段９３で推定した消耗度が耐用限界消耗度の所定割合以上になると、最大燃焼量制限手段９８により、消耗度の増加に伴い減少させられる。例えば、累積運転時間が５０００時間以上７０００時間未満である場合は最大燃焼量が通常値の９０％に制限され、累積運転時間が７０００時間以上８０００時間未満である場合は最大燃焼量が通常値の８０％に制限され、累積運転時間が８０００時間以上８５００時間未満である場合は最大燃焼量が通常値の７０％に制限される。これにより、部品劣化した状態での燃焼量の過度の増加による異常の発生を防止できる。
【００２１】
温調制御の開始後は、Ｓ１３のステップで運転停止指令が出されたか否かを判別し、運転停止指令が出されるまで、温調制御を継続する。尚、運転停止指令は、運転停止スイッチが操作されたときや運転タイマがタイムアップしたときに出される。そして、運転停止指令が出されたときは、Ｓ１４のステップでバーナ３の燃焼を停止すると共に送風ファン２を停止し、更に、運転時間の計測、即ち、消耗度推定手段９３での消耗度のカウントアップを終了する。
【００２２】
以上、本発明の実施形態について図面を参照して説明したが、本発明はこれに限定されない。例えば、上記実施形態では、消耗度推定手段９３で温風暖房器の消耗度を累積運転時間に基づいて推定するようにしたが、温風暖房器の累積運転回数に基づいて消耗度を推定するようにしてもよい。また、上記実施形態は温風暖房器に本発明を適用したものであるが、温風暖房器以外の燃焼装置にも同様に本発明を適用できる。
【図面の簡単な説明】
【００２３】
【図１】本発明の実施形態の燃焼装置（温風暖房器）の切断側面図。
【図２】実施形態の燃焼装置のコントローラのブロック図。
【図３】図２のコントローラの制御内容を示すフロー図。
【符号の説明】
【００２４】
３…バーナ、９…コントローラ、９３…消耗度推定手段、９６…点火遅延手段、９７…遅延時間変更手段。
【図１】
2008267657.tif 000003
【図２】
2008267657.tif 000004
【図３】
2008267657.tif 000005